(57)【特許請求の範囲】
【請求項１】
便座と、前記便座を回動自在に設けたベースプレートと、前記ベースプレートに対して固定された洗浄ノズルと、を備える衛生洗浄装置において、
前記洗浄ノズルの固定位置が変更可能であること、
前記洗浄ノズルに突設されるとともに、貫通孔が設けられた固定板と、
前記ベースプレートに内設されるとともに、固定孔がそれぞれ設けられた段差面を形成した固定台と、
前記貫通孔に挿通されるとともに前記固定孔に挿着されることにより、前記固定板を前記段差面に固定する固定部材と、を有すること、を特徴とする衛生洗浄装置。
【請求項２】
請求項１に記載する衛生洗浄装置であって、
前記段差面が平行関係にあること、を特徴とする衛生洗浄装置。
【請求項３】
請求項１に記載する衛生洗浄装置であって、
前記段差面が交差関係にあること、を特徴とする衛生洗浄装置。
【発明の詳細な説明】
【０００１】
【発明の属する技術分野】
本発明は、洗浄ノズルから噴出された洗浄水で人体局部を洗浄する衛生洗浄装置に関する。
【０００２】
【従来の技術】
従来、衛生洗浄装置としては、例えば、図１１に示す衛生洗浄装置１００のように、タンク１０１が個別に設けられた所謂「セパレートタイプ」の便器１０２に設置されるものがある。
【０００３】
そして、図１１の衛生洗浄装置１００では、使用者が操作ボタン１０３を押下すると、メインバルブ１０４及び切換弁１０５が開き、吸水口１０６から吸水ホース１０７を介して、水道水が洗浄水タンク１０８に供給されるので、洗浄タンク１０８から導水管１１９を介して、洗浄タンク１０８内の水道水が洗浄ノズル１１０に供給される。このとき、洗浄ノズル１１０では、洗浄タンク１０８からの水道水の水圧により、内筒１１１のいずれかが所定の位置まで前進し、その内筒１１１の先端に設けられた噴出孔１１２から、洗浄タンク１０８内の水道水が洗浄水として噴出されるので、洗浄ノズル１１０から噴出された洗浄水で人体局部を洗浄することができる。尚、使用者が操作ボタン１０３を押下してから一定時間経過すると、メインバルブ１０４及び切換弁１０５が閉じるので、洗浄ノズル１１０では、洗浄水の噴出が停止するとともに、その内筒１１１に、図示しないバネの復帰力のみが作用するので、その内筒１１１はもとの位置まで後退することになる。
【０００４】
この点、図１１の衛生洗浄装置１００では、図１２及び図１３に示すように、洗浄水を噴出する際の洗浄ノズル１１０の内筒１１１の噴出穴１１２の位置Ｘを、便座１１３の内側後部から距離Ａに設定しており、この設定条件を実現するように、洗浄ノズル１１０をベースプレート１１４に固定している。尚、この距離Ａは、図１１の便座１１３がベースプレート１１４に取り付けられた場合の基準値であって、かかる基準値は、洗浄ノズル１１０の内筒１１１の噴出穴１１２から噴出される洗浄水の洗浄効果などを考慮して決められる。
【０００５】
【発明が解決しようとする課題】
しかしながら、例えば、図１４に示すように、タンク１２０が一体的に設けられた所謂「ワンピースタイプ」の便器１２１に対して、図１１の衛生洗浄装置１００を設置しようとすると、図１４の便器１２１では、タンク１２０との間隔が狭く、図１１の衛生洗浄装置１００の便座１１３の先端が図１４の便器１２１から突出するので、図１１の衛生洗浄装置１００の便座１１３を、その便座１１３に比べてサイズが小さいもの（図１５及び図１６参照）に代える必要があった。
【０００６】
もっとも、図１１の衛生洗浄装置１００では、図１１の便座１１３をサイズの小さい便座１２２（図１５及び図１６参照）に予め代えた場合でも、ベースプレート１１４に対して洗浄ノズル１１０を固定する位置は変わらないので、図１５及び図１６に示すように、洗浄水を噴出する際の洗浄ノズル１１０の内筒１１１の噴出穴１１２の位置Ｘは、便座１２２の内側後部から距離Ａ’にあり、図１１の便座１１３を取り付けたときの距離Ａとほぼ同じとなる。しかし、その一方で、洗浄水を噴出する際の洗浄ノズル１１０の内筒１１１の噴出穴１１２の位置Ｘは、便座１２２の内側前部から距離Ｃにあって、図１１の便座１１３を取り付けたときの距離Ｂ（図１２及び図１３参照）と比べて近くなる。従って、洗浄水を噴出する際の洗浄ノズル１１０の内筒１１１の噴出穴１１２の位置Ｘについて、便座１２２の全体に対する位置関係にずれが生じることになるので、洗浄ノズル１１０から噴出された洗浄水で人体局部を洗浄する際に、使用者に違和感をもたせるおそれがあった。
【０００７】
そこで、本発明は、上述した問題点を解決するためになされたものであり、ベースプレートに対して取り付けられる便座のサイズが変わっても、洗浄ノズルが洗浄水を噴出する位置を最適にすることができる衛生洗浄装置を提供することを課題とする。
【０００８】
【課題を解決するための手段】
この課題を解決するために成された請求項１に記載の発明は、便座と、便座を回動自在に設けたベースプレートと、ベースプレートに対して固定される洗浄ノズルと、を備える衛生洗浄装置において、洗浄ノズルの固定位置が変更可能であること、洗浄ノズルに突設されるとともに、貫通孔が貫設された固定板と、ベースプレートに内設されるとともに、固定孔がそれぞれ穿設された段差面を形成した固定台と、貫通孔に挿通されるとともに固定孔に挿着されることにより、固定板を段差面に固定する固定部材と、を有すること、を特徴としている。
【０００９】
【００１０】
また、請求項２に記載の衛生洗浄装置は、請求項１に記載の発明であって、段差面が平行関係にあること、を特徴としている。
【００１１】
更に、請求項３に記載の衛生洗浄装置は、請求項１に記載の発明であって、段差面が交差関係にあること、を特徴としている。
【００１２】
すなわち、請求項１に記載の衛生洗浄装置においては、ベースプレートに対して取り付けられる便座のサイズが変わっても、ベースプレートに対する洗浄ノズルの固定位置を変更することができるので、洗浄ノズルが洗浄水を噴出する位置を適切にすることが可能となる。そのため、ベースプレートに対して取り付けられる便座のサイズが変わっても、同一タイプの洗浄ノズルをベースプレートに固定することができ、洗浄ノズルの共有化を図ることが可能となるので、洗浄ノズルのメカニズムに関する設計事項を変更する必要がない。
【００１３】
また、洗浄ノズルに突設された固定板の貫通孔に通された固定部材を、ベースプレートに内設された固定台の固定孔に挿入して着けることにより、洗浄ノズルの固定板をベースプレートの固定台に固定することができるが、この点、ベースプレートの固定台の固定孔は、ベースプレートの固定台の段差面にそれぞれ設けられており、固定部材が挿入されて着けられる固定孔（つまり、段差面）を選択することにより、ベースプレートに対する洗浄ノズルの固定位置を変更することができるので、ベースプレートに対する洗浄ノズルの固定位置の変更を簡単な構成で実現することが可能となる。
【００１４】
また、請求項２に記載の衛生洗浄装置においては、ベースプレートの固定台の固定孔を設けた各段差面が互いに平行関係にあり、洗浄ノズルの固定板をベースプレートの固定台に固定する際に、固定部材が挿入されて着けられる固定孔（つまり、段差面）を何れに選択しても、ベースプレートに対する洗浄ノズルの姿勢が常に一定となるので、ベースプレートに対する洗浄ノズルの固定位置を変更しても、洗浄ノズルから噴出される洗浄水の噴出角度を常に同じにすることができる。
【００１５】
また、請求項３に記載の衛生洗浄装置においては、ベースプレートの固定台の固定孔を設けた各段差面が互いに交差関係にあり、洗浄ノズルの固定板をベースプレートの固定台に固定する際に、固定部材が挿入されて着けられる固定孔（つまり、段差面）の選択によって、ベースプレートに対する洗浄ノズルの姿勢が異なるので、ベースプレートに対する洗浄ノズルの固定位置を変更した際に、洗浄ノズルから噴出される洗浄水の噴出角度も変更することができる。
【００１６】
尚、ベースプレートに対して取り付けられる便座のサイズが変わる場合には、生産者側において異なるサイズの便座に変更してベースプレートに取り付けるケースや、使用者側において異なるサイズの便座に交換してベースプレートに取り付けるケースなどがある。
また、洗浄ノズルには、例えば、洗浄水を噴出するための内筒を前進・後退させるものがあるが、その駆動源としては、水圧とバネの復帰力によるものや、モータによるものなどがある。
【００１７】
【発明の実施の形態】
以下、本発明の実施の形態を図面を参照にして説明する。本実施の形態の衛生洗浄装置は、従来技術の欄で説明した図１１の衛生洗浄装置１００において、ベースプレート１１４に対する洗浄ノズル１１０の固定方法を改良したものである。従って、本実施の形態の衛生洗浄装置の概要は、従来技術の欄で説明した図１１の衛生洗浄装置１００のものと同じであるので、その詳細な説明は省略する。また、従来技術の欄で使用した図１１〜図１６の符号は、本欄の説明においても使用するものとする。
【００１８】
図１や図２に示すように、本実施の形態の衛生洗浄装置では、洗浄ノズル１１０において、一対の固定板２がシリンダ１の両側に一体的に形成されており、固定板２の各々には、一つの貫通孔３が設けられている。
【００１９】
一方、ベースプレート１１４には、一対の固定台４が一体的に形成されており、固定台４の各々には、上側の段差面５と下側の段差面６とが互いに平行に設けられている。さらに、上側段差面５の各々には、一つのネジ孔７（「固定孔」に相当するもの）が設けられ、下側の段差面６の各々にも、一つのネジ孔８が設けられている。
【００２０】
そして、例えば、図３に示すように、洗浄ノズル１１１の固定板２をベースプレート１１４の固定台４の下側の段差面６に接面させて、洗浄ノズル１１１の固定板２の貫通孔３と、ベースプレート１１４の固定台４の下側の段差面６のネジ孔８とを重ね合わせ、その後に、固定ネジ９（「固定部材」に相当するもの）を、洗浄ノズル１１１の固定板２の貫通孔３に通すとともに、ベースプレート１１４の固定台４の下側の段差面６のネジ孔８にねじ込めば、従来技術の洗浄ノズル１１１と同じ位置・姿勢で、洗浄ノズル１１１をベースプレート１１４に固定させることができる。
【００２１】
よって、このとき、ベースプレート１１４に対して、図１１の便座１１３が取り付けられていれば、図１３に示すように、洗浄水を噴出する際の洗浄ノズル１１０の内筒１１１の噴出穴１１２の位置Ｘは、便座１１３の内側後部からの距離Ａにある。
【００２２】
一方、図１及び図２に示すように、洗浄ノズル１１０の固定板２をベースプレート１１４の固定台４の上側の段差面５に接面させて、洗浄ノズル１１０の固定板２の貫通孔３と、ベースプレート１１４の固定台４の上側の段差面５のネジ孔７とを重ね合わせ、その後に、固定ネジ９を、洗浄ノズル１１０の固定板２の貫通孔３に通すとともに、ベースプレート１１４の固定台４の上側の段差面５のネジ孔７にねじ込めば、従来技術の洗浄ノズル１１０とは異なる位置で、洗浄ノズル１１０をベースプレート１１４に固定させることができる。もっとも、ここでは、ベースプレート１１４の固定台４の上側の段差面５が、下側の段差面６に対して平行に設けられていることから、従来技術の洗浄ノズル１１０と同じ姿勢で、洗浄ノズル１１１をベースプレート１１４に固定させることができる。
【００２３】
そして、このとき、ベースプレート１１４に対して、上述した図１１の便座１１３ではなく、図１５及び図１６の便座１２２が取り付けられていれば、図４に示すように、洗浄水を噴出する際の洗浄ノズル１１０の内筒１１１の噴出穴１１２の位置Ｘは、便座１２２の内側後部からの距離Ｄとなる。尚、この距離Ｄは、図１５及び図１６の便座１２２がベースプレート１１４に取り付けられた場合の基準値であって、かかる基準値は、洗浄ノズル１１０の内筒１１１の噴出穴１１２から噴出される洗浄水の洗浄効果などを考慮して決められる。
【００２４】
従って、本実施の形態の衛生洗浄装置においては、ベースプレート１１４に対して取り付けられる便座が、従来技術の欄で述べたように、図１１の便座１１３からその便座１１３よりサイズの小さいもの１２２（図１５及び図１６参照）に変わっても、図３から図１に示すようにして、ベースプレート１１４に対する洗浄ノズル１１０の固定位置を変更することができるので、洗浄水を噴出する際の洗浄ノズル１１０の内筒１１１の噴出穴１１２の位置Ｘ（図４参照）、すなわち、洗浄ノズル１１０が洗浄水を噴出する位置を適切にすることが可能となる。
【００２５】
そのため、ベースプレート１１４に取り付けられる便座１１３（図１１参照）が、それよりサイズの小さい便座１２２（図１５及び図１６参照）に変えられても、同一タイプの洗浄ノズル１１０をベースプレート１１４に固定することができ、洗浄ノズル１１０の共有化を図ることが可能となるので、洗浄ノズル１１０のメカニズムに関する設計事項を変更する必要がない。
【００２６】
つまり、本実施の形態の衛生洗浄装置とは異なって、ベースプレート１１４に対する洗浄ノズル１１０の固定位置を変更できない場合でも、例えば、洗浄ノズル１１０の内筒１１１をもとの位置にまで引き戻すバネ（図示せず）について、ばね定数の大きいものを使用して、洗浄ノズル１１０の内筒１１１が前進する距離を抑えれば、本発明が解決しようとする課題を処理することも可能であるが、この場合では、洗浄ノズル１１０のバネ（図示せず）を設計変更する必要がある。しかし、本実施の形態の衛生洗浄装置では、図１〜図３に示すように、ベースプレート１１４に対する洗浄ノズル１１０の固定位置を変更することができるので、当該洗浄ノズル１１０をそのまま使用することができる。
【００２７】
また、本実施の形態の衛生洗浄装置においては、図１〜図３に示すように、洗浄ノズル１１０に突設された固定板２の貫通孔３に通された固定ネジ９を、ベースプレート１１４に内設された固定台４の固定孔７，８にねじ込むことにより、洗浄ノズル１１０の固定板２をベースプレート１１４の固定台４に固定することができるが、この点、ベースプレート１１４の固定台４の固定孔７，８は、ベースプレート１１４の固定台４の上側の段差面５と下側の段差面６にそれぞれ設けられているため、固定ネジ９がねじ込まれる固定孔７，８（つまり、段差面５，６）を選択することにより、ベースプレート１１４に対する洗浄ノズル１１０の固定位置を変更することができるので、ベースプレート１１４に対する洗浄ノズル１１０の固定位置の変更を簡単な構成で実現している。
【００２８】
また、本実施の形態の衛生洗浄装置においては、図１及び図３に示すように、ベースプレート１１４の固定台４の固定孔７，８を設けた上側の段差面５及び下側の段差面６が互いに平行関係にあり、洗浄ノズル１１０の固定板２をベースプレート１１４の固定台４に固定する際に、固定ネジ９がねじ込まれる固定孔７，８（つまり、段差面５，６）を何れに選択しても、ベースプレート１１４に対する洗浄ノズル１１０の姿勢が常に一定となるので、ベースプレート１１４に対する洗浄ノズル１１０の固定位置を変更しても、洗浄ノズル１１０から噴出される洗浄水の噴出角度を常に同じにすることができる。
【００２９】
尚、ベースプレート１１４に対して取り付けられる便座１１３（図１１参照）が、そのサイズより小さい便座１２２（図１５及ぶ図１６参照参照）に変わる場合としては、生産者側で変更してベースプレート１１４に取り付けるケースや、使用者側で交換してベースプレート１１４に取り付けるケースなどがある。
【００３０】
また、本発明は上記実施の形態に限定されるものでなく、その趣旨を逸脱しない範囲で様々な変更が可能である。
【００３１】
例えば、本実施の形態の衛生洗浄装置では、固定台４の上側の段差面５と下側の段差面６とが平行関係にあり、便器１０２，１２１（図１２、図１５参照）に設置されると、固定台４の上側の段差面５と下側の段差面６は水平状態となるが、洗浄ノズル１１０から噴出される洗浄水の噴出角度を常に同じにする観点からするならば、固定台４の上側の段差面５と下側の段差面６が水平状態になる必要はなく、固定台４の上側の段差面５と下側の段差面６の平行関係が維持されるならば、固定台４の上側の段差面５と下側の段差面６は傾斜状態になってもよい。
【００３２】
一方、ベースプレート１１４に対して取り付けられる便座が、従来技術の欄で述べたように、図１１の便座１１３からその便座１１３よりサイズの小さいもの１２２（図１５及び図１６参照）に変わる場合において、洗浄ノズル１１０から噴出される洗浄水の噴出角度をも変えたいときには、固定台４の上側の段差面５と下側の段差面６とを交差関係にすればよい。
【００３３】
例えば、この場合において、図１１の便座１１３が図５に示す平面形状のものであり、図１５及び図１６の便座１２２が図６に示す前傾形状のものであるときは、ベースプレート１１４に対して取り付けられる便座が前傾することになるが、図１〜図３のベースプレート１１４の固定台４において、上側の段差面５を同様にして前傾させて設ければ、図６の前傾形状の便座に着座した人体が前傾しても、洗浄ノズル１１０から噴出される洗浄水も同様に前傾させることができるので、図５の平面形状の便座に着座した人体に対するときと同様にして、洗浄ノズル１１０の洗浄水を人体局部に噴出させることができる。
【００３４】
すなわち、ベースプレート１１４の固定台４の固定孔７，８を設けた上側の段差面５及び下側の段差面６が互いに交差関係にあれば、洗浄ノズル１１０の固定板２をベースプレート１１４の固定台４に固定する際に、固定ネジ９がねじ込まれる固定孔７，８（つまり、段差面５，６）の選択によって、ベースプレート１１４に対する洗浄ノズル１１０の姿勢が異なるので、ベースプレート１１４に対する洗浄ノズル１１０の固定位置を変更した際に、洗浄ノズル１１０から噴出される洗浄水の噴出角度も変更することができる。
【００３５】
また、本実施の形態の衛生洗浄装置では、洗浄ノズル１１０の固定板２を固定台４の上側の段差面５又は下側の段差面６に固定ネジ９で固定することにより、ベースプレート１１４に対する洗浄ノズル１１０の固定位置を変更していたが、この固定構成に限定されるものではない。
【００３６】
例えば、図７及び図８の洗浄ノズル１１０の固定構造では、ベースプレート１１４の固定台５１に設けたラッチ用スプリング５２と、洗浄ノズル１１０のシリンダ１に設けたオピニオン５４と、を備えており、洗浄ノズル１１０の内筒１１１の先端部に設けられたツマミ１１１Ａをつまんで、内筒１１１を前進・後退させれば、ラッチ用スプリング５２とオピニオン５４の係合位置が調整されるので、ベースカバー５５を外すことなく、ベースプレート１１４に対する洗浄ノズル１１０の固定位置を変更することができる。
【００３７】
また、図９及び図１０の洗浄ノズル１１０の固定構造では、ベースプレート１１４の固定台６２に設けたギヤ６４と、洗浄ノズル１１０のシリンダ１に設けたオピニオン６６と、を備えており、ベースプレート１１４の貫通穴１１４Ａからドライバーを差し込んで、ベースプレート１１４の固定台６２に挿通された回転軸６３を介して、ギヤ６４を回転させれば、ギア６４とオピニオン６６の係合位置が調整されるので、ベースカバー６７を外すことなく、ベースプレート１１４に対する洗浄ノズル１１０の固定位置を変更することができる。
【００３８】
また、本実施の形態の衛生洗浄装置では、洗浄ノズル１１０が一対のシリンダ１を備えたものであるが、１つ又は３つ以上のシリンダ１を備えたものであってもよい。
【００３９】
また、本実施の形態の衛生洗浄装置では、便座１１３，１２２の形状がＯ字形であるが（図４、図１３、図１６参照）、Ｕ字形などのものを使用してもよい。
【００４０】
また、本実施の形態の衛生洗浄装置では、洗浄ノズル１１０につき、内筒１１１を前進・後退させる駆動源として、水圧とバネの復帰力によるものを使用したが、これに限らず、例えば、モータによるものを使用してもよく、この場合でも、モータの制御内容（例えば、内筒１１１の前進量の設定値など）を変更する必要がないので、同一タイプの洗浄ノズル１１０をベースプレート１１４に固定することが可能となり、洗浄ノズル１１０の共有化を図ることができる。
【００４１】
また、本実施の形態では、ベースプレート１１４に対して取り付けられる便座１１３（図１１参照）が、そのサイズより小さい便座１２２（図１５及ぶ図１６参照参照）に変わる場合を説明しているが、その逆であってもよい。
【００４２】
【発明の効果】
本発明の請求項１に係る衛生洗浄装置は、ベースプレートに対して取り付けられる便座のサイズが変わっても、ベースプレートに対する洗浄ノズルの固定位置を変更することができるので、洗浄ノズルが洗浄水を噴出する位置を適切にすることが可能となる。そのため、ベースプレートに対して取り付けられる便座のサイズが変わっても、同一タイプの洗浄ノズルをベースプレートに固定することができ、洗浄ノズルの共有化を図ることが可能となるので、洗浄ノズルのメカニズムに関する設計事項を変更する必要がない。
【００４３】
また、洗浄ノズルに突設された固定板の貫通孔に通された固定部材を、ベースプレートに内設された固定台の固定孔に挿入して着けることにより、洗浄ノズルの固定板をベースプレートの固定台に固定することができるが、この点、ベースプレートの固定台の固定孔は、ベースプレートの固定台の段差面にそれぞれ設けられており、固定部材が挿入されて着けられる固定孔（つまり、段差面）を選択することにより、ベースプレートに対する洗浄ノズルの固定位置を変更することができるので、ベースプレートに対する洗浄ノズルの固定位置の変更を簡単な構成で実現することが可能となる。
【００４４】
また、請求項２に記載の衛生洗浄装置は、ベースプレートの固定台の固定孔を設けた各段差面が互いに平行関係にあり、洗浄ノズルの固定板をベースプレートの固定台に固定する際に、固定部材が挿入されて着けられる固定孔（つまり、段差面）を何れに選択しても、ベースプレートに対する洗浄ノズルの姿勢が常に一定となるので、ベースプレートに対する洗浄ノズルの固定位置を変更しても、洗浄ノズルから噴出される洗浄水の噴出角度を常に同じにすることができる。
【００４５】
更に、請求項３に記載の衛生洗浄装置は、ベースプレートの固定台の固定孔を設けた各段差面が互いに交差関係にあり、洗浄ノズルの固定板をベースプレートの固定台に固定する際に、固定部材が挿入されて着けられる固定孔（つまり、段差面）の選択によって、ベースプレートに対する洗浄ノズルの姿勢が異なるので、ベースプレートに対する洗浄ノズルの固定位置を変更した際に、洗浄ノズルから噴出される洗浄水の噴出角度も変更することができる。
【図面の簡単な説明】
【図１】  本発明の衛生洗浄装置の実施の形態において、固定板を固定台の上側の段差面に固定した状態の洗浄ノズルの固定構造を示す側面図である。
【図２】  同じく、固定板を固定台の上側の段差面に固定した状態の洗浄ノズルの固定構造を示す正面図である。
【図３】  同じく、固定板を固定台の下側の段差面に固定した状態の洗浄ノズルの固定構造を示す側面図である。
【図４】  同じく、洗浄ノズルが洗浄水を噴出する位置と便座との位置関係を示す平面図である。
【図５】  同じく、平面形状の便座を使用したときの人体の姿勢を示す図である。
【図６】  同じく、傾斜形状の便座を使用したときの人体の姿勢を示す図である。
【図７】  同じく、洗浄ノズル固定構造の変更例である。
【図８】  同じく、図７の斜視図である。
【図９】  同じく、洗浄ノズル固定構造の変更例である。
【図１０】  同じく、図９の斜視図である。
【図１１】  所謂「セパレートタイプ」の便器に設置された従来の衛生洗浄装置を示す外観斜視図である。
【図１２】  図１１において、洗浄ノズルが洗浄水を噴出する位置と便座との位置関係を示す側面図である。
【図１３】  図１１において、洗浄ノズルが洗浄水を噴出する位置と便座との位置関係を示す平面図である。
【図１４】  所謂「ワンピースタイプ」の便器の一例を示した外観斜視図である。
【図１５】  所謂「ワンピースタイプ」の便器に設置された従来の衛生洗浄装置において、洗浄ノズルが洗浄水を噴出する位置と便座との位置関係を示す側面図である。
【図１６】  所謂「ワンピースタイプ」の便器に設置された従来の衛生洗浄装置において、洗浄ノズルが洗浄水を噴出する位置と便座との位置関係を示す平面図である。
【符号の説明】
２              固定板
３              貫通孔
４              固定台
５，６          段差面
７，８          ネジ孔
９              固定ネジ
１００          衛生洗浄装置
１１０          洗浄ノズル
１１３，１２２  便座
１１４          ベースプレート
【図１】
0003640885.tif 000002
【図２】
0003640885.tif 000003
【図３】
0003640885.tif 000004
【図４】
0003640885.tif 000005
【図５】
0003640885.tif 000006
【図６】
0003640885.tif 000007
【図７】
0003640885.tif 000008
【図８】
0003640885.tif 000009
【図９】
0003640885.tif 000010
【図１０】
0003640885.tif 000011
【図１１】
0003640885.tif 000012
【図１２】
0003640885.tif 000013
【図１３】
0003640885.tif 000014
【図１４】
0003640885.tif 000015
【図１５】
0003640885.tif 000016
【図１６】
0003640885.tif 000017